(57)【要約】【課題】乗用型農作業機において、運転座席側から農用供給物を入れた状態の容れ物を貯留部の投入口近くまで上昇させて、容れ物内の農用供給物を楽に貯留部に補給できるようにする。【解決手段】運転座席８の背凭れ部８ａの上部を回動軸芯Ｐ２として運転座席８を持上げ可能に構成し、運転座席８に農用供給物の入った容れ物５３を載せた状態で運転座席８を持上げて、容れ物５３を貯留部１５に近づけた状態で、容れ物内の農用供給物を貯留部１５内に補給するようにした。【選択図】図４
2010124810.tif 000002
【特許請求の範囲】
【請求項１】
走行機体における運転座席の後方近くに、圃場に供給する農用供給物を貯留する貯留部と農用供給物を繰出す繰出し機構を備えた供給装置を配備し、前記繰出し機構から繰出された農用供給物を圃場に供給する流下経路を備えてある乗用型農作業機において、
前記運転座席の背凭れ部の上部を回動軸芯として前記運転座席を持上げ可能に構成してあることを特徴とする乗用型農作業機。
【請求項２】
前記運転座席を持上げる付勢機構を設けてある請求項１記載の乗用型農作業機。
【請求項３】
前記貯留部の上方に農用供給物を収容した容れ物を載置する載置台を架設してある請求項１または２記載の乗用型農作業機。
【請求項４】
前記貯留部を前記運転座席よりも走行機体の左右に形成するとともに、前記運転座席を走行機体の左右方向に移動自在に構成してある請求項１〜３のいずれか一項に記載の乗用型農作業機。
【請求項５】
前記貯留部を前記運転座席よりも走行機体の左右に形成するとともに、前記載置台を走行機体の左右方向に移動自在に構成してある請求項３記載の乗用型農作業機。
【発明の詳細な説明】
【技術分野】
【０００１】
本発明は、走行機体における運転座席の後方近くに、圃場に供給する農用供給物を貯留する貯留部と農用供給物を繰出す繰出し機構を備えた供給装置を配備し、前記繰出し機構から繰出された農用供給物を圃場に供給する流下経路を備えてある乗用型農作業機に関する。
【背景技術】
【０００２】
特許文献１に示されているように、走行機体の後部に苗植付装置４をリンク機構３を介して昇降自在に連結し、運転座席６７の後方近くに圃場に農用供給物の一例である肥料を貯留する肥料ホッパー１８（貯留部）と肥料を圃場に供給するために所定量づつ肥料を繰出す繰出し機構１９を備えた施肥装置Ａ（供給装置）を設けるとともに、肥料を肥料ホッパー１８に補給するための肥料補給装置Ｂとして、補給用の肥料袋（容れ物）を載置可能な肥料載台４３（載置台）を肥料ホッパー１８の上方位置において左右方向に移動自在に設けたものが知られている。
【特許文献１】特開平１０−３０４７２２号公報
【発明の開示】
【発明が解決しようとする課題】
【０００３】
上記従来構造の肥料補給装置では、肥料ホッパー１８の上方に位置する肥料載台４３に肥料袋を載置することで、肥料を肥料ホッパー１８に容易に補給できる点で重い肥料袋を抱えたまま肥料を肥料ホッパー１８に肥料を補給するのに比べて、楽に肥料の補給を行える利点がある。しかし、肥料ホッパー１８に肥料を補給するときには、肥料の入った肥料袋を高所に位置する肥料ホッパー１８の上方の肥料載台まで持上げて載置しなければならないので、重い農用供給物が入った容れ物の内容物を貯留部に補給するときは、重労働を強いられる不都合があった。
【０００４】
本発明の目的は、運転座席を利用して肥料等の農用供給物を容易に貯留部に供給できるようにすることにある。
【課題を解決するための手段】
【０００５】
〔第１発明の構成〕
第１発明は、走行機体における運転座席の後方近くに、圃場に供給する農用供給物を貯留する貯留部と農用供給物を繰出す繰出し機構を備えた供給装置を配備し、繰出し機構から繰出された農用供給物を圃場に供給する流下経路を備えてある乗用型農作業機において、運転座席の背凭れ部の上部を回動軸芯として運転座席を持上げ可能に構成してあることを特徴とする。
【０００６】
〔第１発明の作用〕
第１発明によると、運転座席そのものを背凭れ部上部の回動軸芯周りに持上げられるようにしてあるので、農用供給物を収容した容れ物を運転座席の座部に載置して、座部を前記背凭れ部上部の回動軸芯周りに持上げることによって、容れ物を持ち上げることができ、このように容れ物を持上げた状態で、容れ物の口を開けて農用供給物を貯留部に供給する。或いは、貯留部の上部に載置台を設けてある場合は、座部を持上げた状態で、容れ物を載置台に移載し、載置台上から農用供給物を貯留部に補給する。
【０００７】
〔第１発明の効果〕
第１発明によると、農用供給物を収容した容れ物を運転座席に載せて、運転座席の座部を背凭れ部上部の回動軸芯周りに持上げることによって、容れ物を高く持上げることができるので、容れ物内の農用供給物を楽に貯留部に補給することができるようになった。
しかも、第１発明においては、運転座席を容れ物の持上げ装置を兼ねているので、別途容れ物を持上げる持上げ装置を設けるのに比べて、別の持上げ装置用の設置スペースが不要となるだけでなく、運転座席自体を持上げ装置を兼ねるので、運転座席が邪魔にならないで、農用供給物を貯留部に補給することができるに至った。
【０００８】
〔第２発明の構成〕
第２発明は、第１発明の構成において、運転座席を持上げる付勢機構を設けてある。
【０００９】
〔第２発明の作用効果〕
第２発明によれば、付勢機構によって運転座席を背凭れ部上部の回動軸芯周りに持上げることが補助されるので、運転座席に載置した農用供給物を収容した容れ物を楽に持上げることができ、容れ物内の農用供給物を貯留部に楽に補給することができるに至った。
【００１０】
〔第３発明の構成〕
第３発明は、第１発明または第２発明の構成において、貯留部の上方に農用供給物を収容した容れ物を載置する載置台を架設してある。
【００１１】
〔第３発明の作用効果〕
第３発明によると、農用供給物を収容した容れ物を運転座席に載置した状態で持上げてから貯留部上方に位置する載置台に移載すればよいので、農用供給物を収容した容れ物を楽に上方の載置台に移載することができ、上方の載置台から農用供給物を貯留部に楽に補給することができるに至った。
【００１２】
〔第４発明の構成〕
第４発明は、第１〜第３発明のいずれかの発明の構成において、貯留部を運転座席よりも走行機体の左右に形成するとともに、運転座席を走行機体の左右方向に移動自在に構成してある。
【００１３】
〔第４発明の作用効果〕
第４発明によると、運転座席に農用供給物を収容した容れ物を載置した状態で、運転座席を貯留部の左右側部に移動させて、所望の左右位置で運転座席を持上げることで、本来の座席位置（車体の左右中央位置）だけでなく、左右側部に位置する貯留部内にも農用供給物を容易に補給できるようになった。
【００１４】
〔第５発明の構成〕
第５発明は、第３発明の構成において、貯留部を運転座席よりも走行機体の左右に形成するとともに、載置台を走行機体の左右方向に移動自在に構成してある。
【００１５】
〔第５発明の作用効果〕
第５発明によると、農用供給物を収容した容れ物を運転座席に載置した状態で持上げることで容れ物を楽に載置台に移載することができ、容れ物を載せた載置台を左右方向に移動させることで、左右側部の貯留部内に楽に農用供給物を補給することができるに至った。
【発明を実施するための最良の形態】
【００１６】
以下、本発明の実施形態一例を図面に基づいて説明する。
〔水田作業機の全体構成〕
図１に示すように、操向操作自在な左右一対の前輪１及び左右一対の後輪２を備えた走行機体３の前部に、エンジン４及びミッションケース５を備え、走行機体３の中央部にステアリングハンドル６等を装備した操縦部７及び運転座席８を設け、走行機体３の後部には圃場に肥料等の農用供給物を供給する供給装置としての施肥装置９が配置されている。
前記エンジン４の左右両側、及び前記操縦部７と運転座席８との間、ならびに前記運転座席８の左右両側には、ほぼ平坦なステップ部分を有した運転部ステップ１０が設けられ、左右の運転部ステップ１０の外側下部に乗降用ステップ１１が連設されている。運転部ステップ１０の外側でエンジン４の配設箇所と対向する箇所に予備苗のせ台１２が配設され、運転部ステップ１０の最後部に立ち上がり部１３を設けて、前記平坦なステップ部分よりも高くした搭載面を備える搭載台１４が配設され、この搭載台１４の上側に前記施肥装置９の肥料ホッパー１５（貯留部の一例）が配設されている。
走行機体３の後方には、リンク機構１６を昇降操作自在に連結して、リンク機構１６に植播系作業装置の一例である苗植付装置１７を装着して、水田作業機の一例である乗用型田植機を構成してある。
苗植付装置１７は８条植えに構成されており、４個の植付伝動ケース１８、植付伝動ケース１８の左右両側に回転駆動自在に支持される回転ケース１９、回転ケース１９の両端に配備される一対の植付爪２０、５個の接地フロート２１、及び苗のせ台２２等によって構成してある。
【００１７】
〔施肥装置の構成〕
次に、粉粒体供給装置の一例である施肥装置９の構成について説明する。
図１，２，３に示すように、走行機体３の後部においてリンク機構１６が連結される機体フレーム２３の上部に、走行機体３の左右方向に沿って支持体２４が固定されて、４個の肥料繰出し機構２５（繰出し機構の一例）が支持体２４に連結されている。透明樹脂製の肥料ホッパー１５（粉粒体ホッパーの一例）が、４個の肥料繰出し機構２５の上部に亘って取付けられて、図２及び図４に示すように、透明樹脂製の蓋部２６が、後側の横軸芯Ｐ１周りに開閉自在に備えられている。これにより、図１及び図３に示すように、肥料繰出し機構２５と肥料ホッパー１５とで成る繰出し部が、運転座席８の後側に左右に並べて配置されている。
【００１８】
図１に示すように苗植付装置３の植付爪２０によって植え付けられた苗の横側部に、溝を形成しながら肥料を田面に送り込んでいく作溝器２７が備えられ、８個の作溝器２７が接地フロート２１に取付けられている。図１，２，３，４に示すように、１個の肥料繰出し機構２５と２個の作溝器２７とが、２個の漏斗部２８及び肥料の流下経路を形成する２本の搬送ホース２９によって接続されている。
【００１９】
図４に示すように、肥料繰出し機構２５の前部には、粉粒体排出口３０が形成されており、これに可撓性の排出用ホース３１が接続され、その先端開口部が走行機体３の左右に設けた排出ホース止め部３２に係止固定されている。
【００２０】
肥料繰出し機構２５は、図示しない繰り出しロールの回転軸３３と一体形成された従動ギヤ３４と、動力が入力される駆動軸３５の駆動ギヤ３６との咬合によって駆動回転するように構成してある。
図１及び図３に示すように、苗植付装置１７に動力を伝達するＰＴＯ軸３７がミッションケース５から延出され、ＰＴＯ軸３７から横向きに動力を取り出すクランク軸３８が、機体フレーム２３に固定された伝動ケース３９に枢支されている。クランク軸３８の出力が、前記駆動軸３５に外嵌されたワンウェイクラッチ４０へ連係ロッド４１を介して連結されている。
【００２１】
図１、図２、図３に示すように、運転座席８の背凭れ部８ａの下方にブロア４２及びブロア４２を駆動する電動モータ４３を配備してある。ブロア４２及び電動モータ４３は機体フレーム２３に支持され、ブロア４２で生起された風を各漏斗部２８に供給するためのパイプ状の送風ダクト４４を、ブロア４２から支持体２４に沿う状態に横臥配置して延出配備してある。
前記漏斗部２８の下部には、供給口４５を、シールゴムを介して送風ダクト４４に挿入し、固定してある。
【００２２】
前記ＰＴＯ軸３７の動力によって苗植付装置１７の回転ケース１９が回転駆動され、一対の植付爪２０により苗のせ台２２から交互に苗が取り出され田面に植え付けられて、苗の植付作業が行われる。これと同時に、クランク軸３８の回転運動による連係ロッド４１の往復運動が、ワンウェイクラッチ４０により回転運動に変換されて、駆動軸３５を介して回転軸３３が間欠的に回転駆動される。これにより、繰り出しロールで繰り出される肥料が駆動軸３５の間欠的な回転により漏斗部２８に繰出される。そして、ブロア４２からの高圧の風が送風ダクト４４を介して漏斗部２８に供給され、高圧の風により肥料が搬送ホース２９を通って作溝器２７に迅速に供給され、作溝器２７により田面に形成された溝に肥料が送り込まれて施肥作業が行われるのである。
【００２３】
次に、肥料補給の労力を軽減する肥料補給補助装置５０（粉粒体補給補助装置の一例）について説明する。
図１、図２及び図５に示す肥料補給補助装置５０は、運転座席８を左右にスライド移動出来るとともに、肥料袋５３（容れ物の一例）を運転座席８に載置した状態で、運転座席８の背凭れ部８ａの上部を支持する回動支軸５４の横軸芯Ｐ２周りに持上げて、肥料袋５３の肥料を肥料ホッパー１５に供給できるようにしたものである。
【００２４】
肥料補給補助装置５０は、運転座席８と、運転座席８を載置支持する座席載置台５５と、座席載置台５５をスライド移動自在に支持する支持枠５６と、肥料袋５３を運転座席８に載置して運転座席８を持上げるのをアシストする左右一対のダンパー５７とを備えている。
【００２５】
前記支持枠５６は、平面視略長方形で、側面視略Ｌ字状の環状枠５８と、環状枠５８の左右の水平枠部材５８ａ，５８ｂ間に架設した中間左右部材５９と、環状枠５８の前左右部材５８ｃと中間左右部材５９との間に架設した４本の中間前後部材６０と、各中間前後部材６０の前後２箇所に設けた脚部６１と、環状枠５８の左右の後立ち上がり部材５８ｄに連設された後左右部材５８ｅの左右中間部を支持する中央支持部材６２とからなる。支持枠５６を構成する環状枠５８等は金属性パイプを接合して組み付けてある。
左右外側の脚部６１はフロア外周を形成するフレームより立設し、左右内側の脚部６１は機体フレーム２３に連結してある。
【００２６】
座席載置台５５は、側面視で環状枠５８に沿った略Ｌ字状の板状部材を主要部材として備えている。座席載置台５５の底板５５ａの下面及び背板５５ｂの背面に前左右部材５８ｃと中間左右部材５９と後立ち上がり部材５８ｄとにそれぞれ嵌合して座席載置台５５を左右にスライドさせるための嵌合部材６６ａ，６６ｂ，６６ｃを、ブラケット６７を介してビス止めしてある。嵌合部材６６ａ，６６ｂ，６６ｃは断面Ｕ字状の嵌合凹部を備え、この嵌合凹部を前左右部材５８ｃ、中間左右部材５９及び後立ち上がり部材５８ｃのパイプ材に嵌合してある。
嵌合部材６６ａ，６６ｂ，６６ｃは、支持枠５６に取付けるときにビス止めされる。
【００２７】
座席載置台５５の座部支持面の中央部左右に緩衝ゴム６８を接着し、前端近くに座部支持用の丸棒６９を取付けてある。座席載置台５５の背板５５ｂの上端に運転座席８を回動させるための回動支軸５４を取付けてある。
【００２８】
運転座席８は、ブラケット７０を介して回動支軸５４に回動自在に取付けてある。運転座席８の背凭れ部８ａに取付けたブラケット７１と座席載置台５５に取付けたブラケット７２との間にダンパー５７を介装してある。
【００２９】
前記ダンパー５７は、シリンダ５７ａの内部に図示しないコイルスプリングが圧縮状態で内蔵してあり、ピストンロッド５７ｂの端部の図示しないピストンには微小孔を形成してある。これによって運転座席８を回動支軸５４周りで上昇させても急激に上昇しないようになっている。ダンパー５７は運転座席８を着座姿勢の状態のときは、運転座席８側のブラケット７１の取付支点Ｐ３と座席載置台５５側のブラケット７２の取付支点Ｐ４とを結ぶ直線の上方延長線Ｌ１は、運転座席８の回動支軸５４の横軸芯Ｐ２よりも後方に位置する。即ち、ダンパー５７のピストンロッド５７ｂを運転座席８側のブラケット７１に取付けている取付支点Ｐ３は、ダンパー５７の下部の取付支点Ｐ４と運転座席８の回動支点である横軸芯Ｐ２とを結ぶ線分Ｌ２よりも後方に位置する。これによって、運転座席８は着座姿勢の状態にあるときは、着座姿勢の状態を維持することができ、運転座席８を持上げて、取付支点Ｐ３が線分Ｌ２よりも前方側に位置するとダンパー５７は運転座席８を上昇させる作用力が生じる。
【００３０】
図４に示すように、運転座席８の左右中央の前端部下面に付設したブラケット７３に解除レバー７４を備えたフック７５を設け、座席載置台５５にフック７５を係合させる係止杆７６を設けてある。フック７５は図４において図示しないコイルバネで反時計回りに付勢され、ストッパーピン７７で反時計周りの回動を規制されている。フック７５を係止杆７６に係止させた状態では、ダンパー５７の上部の取付支点Ｐ３は前記線分Ｌ２よりも後方（図４において右側）に位置するようにダンパー５７の動きを規制してある。
【００３１】
座席載置台５５の左右中央の前端部下面と、環状枠５８の前左右部材５８ｃとの間に運転座席８の左右方向の位置決め用のデテント機構７８を設けてある。デテント機構７８は座席載置台５５側に取付けたデテント７９と前左右部材５８ｃの機体左右中央位置に形成したノッチ８０とで構成してある。デテント７９は、ノッチ８０に係合するボール等の係合部材と、係合部材をノッチ８０への係合方向（下方）に付勢するコイルスプリングや板バネ等からなる付勢手段（図示せず）とで構成してある。これによって、座席載置台５５が左右中央位置にあってデテント７９がノッチ８０に係合している状態から左右方向に移動するとき（デテント７９がノッチ８０から外れるとき）は少し抵抗を感じ、これを脱すると座席載置台５５が左右移動が軽くなるので、座席載置台５５が左右中央のセット位置から外れた位置からセット位置に戻すときは、容易にセット位置に位置決めすることができる。
【００３２】
図５に示す符号８１は、座席載置台５５のセット位置において、座席載置台５５の左右移動を不能にする係止ピンであ。この係止ピン８１は、Ｌ字状で、差込みピン部８１ａとレバー部８１ｂとを備え、セット状態でレバー部８１ｂがフック８２に係止され、レバー部８１ｂを下向きに揺動させると係止ピン８１を抜き出すことができ、座席載置台５５を左右移動できるようになる。
【００３３】
肥料補給補助装置５０は上記のように構成してあるので、肥料袋５３に入った肥料を施肥ホッパー１５に供給するときは、肥料袋５３を運転座席８の座部８ｂに載せ、解除レバー７４を引き上げてフック７５の係止杆７６に対する係合を解除して、座部８ｂを持上げる。座部８ｂを持上げる過程で、ダンパー５７の上部の取付支点Ｐ３が図４中線分Ｌ２の右側位置から左側位置（前方）に移動するとダンパー５８によるアシスト力が作用し、座部８ｂが図４の実線で示す位置（上昇位置）まで上昇した状態では、手で支えなくても図４の状態を保持する。この状態で肥料袋５３内の肥料を施肥ホッパー１５内に投入する。運転座席１５を戻すときは、座部８ｂを押し下げて、図４の二点鎖線の位置に戻すとフック７５が自動的に係止杆７６に係合して運転座席８は元の位置にセットされる。
【００３４】
肥料を肥料ホッパー１５の右側または左側（右端または左端の肥料ホッパー１５部分）に投入したいときは、座席載置台５５の左右移動を規制している係止ピン８１のレバー部８１ｂを下方に下げてフック８２との係合を外して、係止ピン８１を抜き取る。この状態で座席載置台５５を右側または左側に人力で移動させて肥料袋５３を運転座席８の座部８ｂに載せ、上記と同じ手順で右端または左端の肥料ホッパー１５内に肥料を投入する。運転座席８を左右方向に移動させて左右複数箇所の肥料ホッパー１５内に肥料を供給すれば、運転座席８を下降位置にセットした状態で、左右方向中央部に移動させると、デテント機構７８の機能により、容易に左右中央位置に運転座席１５を位置決めすることができ、運転座席１５を左右中央位置に位置決めした状態で、係止ピン８１を前左右部材５８ｃの嵌合部材６６ａに形成した孔に差し込んでレバー部８１ｂをフック８２に係止させて係止ピン８１を固定し、運転座席８を左右移動しないように固定する。
【００３５】
〔第１の別実施の形態〕
図６、図７は、第１の別実施の形態し、図６に示す肥料補給補助装置５１は、上記の発明を実施するための最良の形態の肥料補給補助装置５０と同一構造であり、第１の別実施の形態では、上記の発明を実施するための最良の形態で説明した図１〜図５と同じ全ての構造に加えて、図６、図７に示す肥料補給台８５（粉粒体補給台の一例）を追加した。
肥料補給台８５は、機体フレーム２３に連結した施肥装置９の支持体２４の左右両端より上方に立設した支柱８６と、この支柱８６の上部に取付けられ、施肥ホッパー１５の開口の直上位置に肥料放出用の開口８７を形成した袋載置台８８とを備えている。
袋載置台８８に形成された開口８７は、施肥ホッパー１５の開口の略全幅に亘って開口しており、その外周に下方に折り曲げられた案内部が形成され、その前後幅が幅狭に形成されている。
【００３６】
肥料を肥料ホッパー１５内に補給するときは、肥料袋５３を袋載置台８８に載せたい位置まで運転座席８を左右に移動させて、肥料袋５３を運転座席８の座部８ｂに載せ、運転座席８を図６の実線で示す上昇位置まで上昇させ、この状態から図６に示す運転座席８に載置している肥料袋５３を袋載置台８８に移載する。袋載置台８８に搭載した肥料袋５３の口を開けて、図６に示すように肥料袋５３内の肥料を肥料ホッパー１５内に投入する。
なお、運転座席８は従来の構造のままで、この別実施の形態での肥料補給台８５のみを乗用型田植機に備える構造を採用してもよい。
【００３７】
〔第２の別実施の形態〕
図８、図９は、第２の別実施の形態を示す。図８に示す肥料補給補助装置５２の座席載置台５５は図示しない脚部に固定してあり、運転座席８は左右方向に移動不能に設置されている。座席載置台５５に対して運転座席８を上昇させる構成については、発明を実施するための最良の形態、及び上記第１の別実施の形態と同じ構造である。
第２の別実施の形態では、上記の構造に加えて、図８、図９に示す肥料補給台９０を備えている。肥料補給台９０は、機体フレーム２３に連結した施肥装置９の支持体２４の左右両端より上方に立設した支柱８６，８６と、左右の支柱８６，８６間に架設した案内杆９１と、案内杆９１に左右移動自在な袋載置台９２とを備えている。即ち、袋載置台９２を施肥ホッパー１５に沿って左右方向に移動自在に構成してある。
袋載置台９２は、案内杆９１に左右移動自在に嵌合させた角筒９３と、角筒９３に固定した吊持杆９４と、吊持杆９４に支持され、左右中間に肥料投入孔９５を形成した肥料載せ板９６とを備えている。
【００３８】
肥料を肥料ホッパー１５内に補給するときは、袋載置台９２を運転座席８の直後方の位置まで移動させておく。肥料袋５３を運転座席８の座部８ｂに載せ、運転座席８を図８の実線で示す上昇位置まで上昇させ、この状態から図８に示す運転座席８に載置している肥料袋５３を袋載置台９２に移載する。肥料を補給したい位置まで袋載置台９２を右または左に移動させ、所望の左右位置で袋載置台９２に搭載した肥料袋５３の口を開けて、図８に示すように肥料袋５３内の肥料を肥料ホッパー１５内に投入する。
なお、運転座席８は従来の構造のままで、この別実施の形態での肥料補給台９０のみを乗用型田植機に備える構成を採用してもよい。
【００３９】
〔その他の別実施の形態〕
上記した発明を実施するための最良の形態では、アシスト用のダンパー５７を設けたがこのダンパー５７を省略してもよい。
上記した発明を実施するための最良の形態では、シリンダ５７ａ内に微小孔を形成したピストンを設けて、ピストンロッド５７ｂが急激に突出しないようにしたダンパー５７を設けたが、このダンパー５７に代えて、単にスプリングで付勢するものや、油圧シリンダによって油路の切替えでピストンロッドが突出するように付勢したものであってもよい。これらのダンパーやスプリングや油圧シリンダを付勢機構と総称する。
【００４０】
上記した発明を実施するための最良の形態では、圃場に供給する農用供給物として、肥料を例に説明したが、農用供給物としては、粒状肥料、液状肥料、粉粒状の薬剤、液状の薬剤、或いは種籾であってもよい。
農用供給物が液体肥料である場合は、供給装置として液体肥料を貯留するタンクに液体肥料を繰出す繰出し機構を備えた液肥供給装置を走行機体に搭載し、容れ物としてポリタンク等を利用することができる。
農用供給物が種籾である乗用型播種機の場合は、供給装置として籾を貯留するホッパーに籾を繰出す籾繰出し機構を備えた播種装置を走行機体に搭載し、容れ物として籾袋を利用することができる。
【００４１】
供給装置の貯留部としては、走行機体の左右方向に連続した長い貯留部の他、右と左に離れた左右独立したもの、或いは、左右方向中央部と右側部と左側部の３つに独立したものであってもよい。特に液体の肥料や薬剤の場合は、左右独立形式の方が、液体が左右に大きく移動しないので都合がよい。
【図面の簡単な説明】
【００４２】
【図１】施肥装置付き乗用型田植機の全体側面図
【図２】施肥装置付き乗用型田植機の平面図
【図３】施肥装置の背面図
【図４】施肥ホッパーに肥料を供給している状態を示す一部縦断側面図
【図５】運転座席と座席載置台と座席載置台の支持枠を示す正面図
【図６】第１の別実施の形態における運転座席と施肥ホッパー上方に形成した袋載置台を示す側面図
【図７】第１の別実施の形態の袋載置台を示す正面図
【図８】第２の別実施の形態における運転座席と施肥ホッパー上方に形成した袋載置台を示す側面図
【図９】第２の別実施の形態の袋載置台と架設枠を示す正面図
【符号の説明】
【００４３】
３        走行機体
８        運転座席
８ａ      背凭れ部
９        供給装置（施肥装置）
１５      貯留部（施肥ホッパー）
２５      繰出し機構（肥料繰出し機構）
２９      流下経路（搬送ホース）
５３      容れ物（肥料袋）
５７      付勢機構（ダンパー）
８８      載置台（袋載置台）
９２      載置台（袋載置台）
Ｐ２      回動軸芯
【図１】
2010124810.tif 000003
【図２】
2010124810.tif 000004
【図３】
2010124810.tif 000005
【図４】
2010124810.tif 000006
【図５】
2010124810.tif 000007
【図６】
2010124810.tif 000008
【図７】
2010124810.tif 000009
【図８】
2010124810.tif 000010
【図９】
2010124810.tif 000011